(57)【要約】【課題】空気清浄装置の使用に係わる新たなメッセージ受け取り、顧客はより効果的に空気清浄装置を使うことができる。【解決手段】空気清浄装置の捕集分析部材には少なくとも捕集分析部材の識別情報が格納された識別コードが付与されており、外部通信端末装置２２が空気清浄装置の送風ファンの運転情報と、捕集分析部材の識別情報を紐付けて、判定テーブル４９とメッセージテーブル４８を備えた通信ネットワーク上のホストコンピュータへ送付し、前記ホストコンピュータは前記捕集分析部材の分析から得た濃度データと前記送風ファンの運転情報から得られる運転時間と風量から分析結果を得るものであって、判定テーブル４９において分析項目ごとに前記分析結果と該分析項目ごとの基準値とを比較して判定結果を引き出し、メッセージテーブル４８において判定結果から前記空気清浄装置の使用に係る新たなメッセージを引き出すことができる。【選択図】図１９
2018146228.tif 000002
【特許請求の範囲】
【請求項１】
吸込み口と吹出し口を連通して設けた空気流路を有する本体ケースと、
前記空気流路を通風する送風ファンと、
前記空気流路に設けられた空気清浄部と、
前記空気清浄部の外周部に接するように並列した位置に設けられ、通過する空気中に含まれる汚染物質を捕集し、成分を分析するための着脱可能な捕集分析部材と、
前記送風ファンの運転情報と前記捕集分析部材に付与された情報を記録する記録部と、通信ネットワーク上に接続可能な外部通信端末装置の通信部を近接させることで、前記記録部の運転情報を前記通信端末装置へ伝送する近距離通信部とを備えた空気清浄装置であって、
前記外部通信端末装置が前記捕集分析部材に付与した前記捕集分析部材の識別情報を示すコードと前記記録部の運転情報とを取得することで、前記識別情報と送風ファンの運転情報を外部へ送信可能とすることを特徴とする空気清浄装置。
【請求項２】
前記捕集分析部材には少なくとも前記捕集分析部材の識別情報が格納されたコードが付与されており、前記外部通信端末装置が前記記録部の運転情報を取り出し、前記識別情報を読み込むことで、前記外部通信端末装置を介して前記送風ファンの運転情報と、前記捕集分析部材の識別情報が紐付けられていることを特徴とする請求項１記載の空気清浄装置。
【請求項３】
外部通信端末装置が空気清浄装置販売会社のホストコンピュータへアクセスして、前記顧客情報として請求項１記載の空気清浄装置の識別情報と送風ファンの運転情報を送付することで、前記空気清浄装置の使用に係わる新たなメッセージを受け取ることが可能となる情報提供装置。
【請求項４】
前記ホストコンピュータは、前記顧客情報を通信部で受け取り、顧客情報格納メモリへ格納し、
分析サーバから取得した前記捕集分析部の濃度データを分析データ格納メモリに格納し、前記顧客情報と濃度データとから前記空気清浄装置の使用に係わる新たなメッセージを創出する請求項３記載の情報提供装置。
【請求項５】
捕集分析部材がアレルゲン、菌の非変性物質で構成されていることを特徴とする請求項１に記載の空気清浄装置。
【請求項６】
捕集分析部材が、少なくとも３つの捕集部で構成され、吸込み口側に粗大粒子状汚染物質を捕集する粗大粒子捕集部、中間に微粒子状汚染物質を捕集する微粒子捕集部、吹出し口側にガス状汚染物質を捕集するガス捕集部と、を備えたことを特徴とする請求項１、２、５のいずれか一項に記載の空気清浄装置。
【発明の詳細な説明】
【技術分野】
【０００１】
本発明は、汚染物質の分析をするための捕集分析部材を備えた空気清浄装置に関するものである。
【背景技術】
【０００２】
近年、花粉、黄砂、ディーゼル排気粒子、ウイルス等の微粒子、ＮＯｘやＳＯｘ等のガス状化学物質、ホルムアルデヒド等の揮発性化学物質等の汚染物質による空気質汚染が進んでおり、大きな社会問題となっている。これら汚染物質は室内にも侵入し、日々の生活にも影響を与えている。これら汚染物質の低減に対し、効果的な措置を講じるには、例えば空気清浄装置のような内部に集塵フィルタを内蔵した装置によって室内空気を循環させて、集塵フィルタで汚染物質を除去することが効果的ではある。しかし、それ以上に、どのような汚染物質がどれくらいの量存在しているのかを定性、定量的に分析することが重要である。
【０００３】
そこで、汚染物質の分析方法として、汚染物質をフィルタ等に捕集し、捕集された汚染物質を分析する方法があり、この捕集装置として多孔膜と吸引部とを備えた浮遊微粒子捕集装置がある（例えば、特許文献１参照）。
【先行技術文献】
【特許文献】
【０００４】
【特許文献１】特開２００８−２３４６９号公報
【発明の概要】
【発明が解決しようとする課題】
【０００５】
このような従来の捕集装置においては、捕集装置の吸引風量が小さく、狭い範囲での捕集しか出来ないことにあった。つまり、室内空間全体の汚染物質を分析するには、複数の場所で捕集する必要があり、汚染物質の分析は煩雑なものになっていた。
【０００６】
また、従来例においては、捕集作業を行った人間と分析する人間が同一人物であれば、捕集期間や場所などの捕集条件情報を把握した上で、フィルタの捕集物の性状や量の分析が行えるため、データに基づき、詳細な対象環境の診断ができる。しかし、別人であれば、分析する人間は、捕集作業を行った人間のレポートなどの情報を元に診断しなければならなかった。
【０００７】
更に、分析サンプル数が少ない場合は、サンプルと捕集条件情報の紐づけ管理は比較的容易ではあるが、例えば各家庭の室内環境を分析するとなると、サンプル数は膨大となった。
【０００８】
本発明は、上記課題を鑑みなされたものであり、室内空間全体の環境状態を簡便且つ正確に分析できる空気清浄装置を提供することを目的とするものである。
【課題を解決するための手段】
【０００９】
このように、汚染物質の分析に基づく汚染物質の低減、及び空気質の改善に対する効果的な対策を講じることが難しいという課題があった。また、作業の煩雑性や診断結果の正確性に課題があった。さらに、それぞれのサンプルと捕集条件情報の紐付け作業は複雑となり、一元的に管理することも困難であるという課題があった。
【００１０】
本発明は、吸込み口と吹出し口を連通して設けた空気流路を有する本体ケースと、空気流路を通風する送風ファンと、空気流路に設けられた空気清浄部を備える。また、空気清浄部の外周部に接するように並列した位置に設けられ、通過する空気中に含まれる汚染物質を捕集し、成分を分析するための着脱可能な捕集分析部材を備える。また、送風ファンの運転情報を記録する記録部と、通信ネットワーク上に接続可能な外部通信端末装置の通信部を近接させることで、記録部の運転情報を、外部通信端末装置へ伝達する近距離通信部とを備える。さらに、外部通信端末装置が捕集分析部材に付与した捕集分析部材の識別情報を示すコードと記録部の運転情報とを取得することで、識別情報と送風ファンの運転情報を外部へ送信可能とする。
【発明の効果】
【００１１】
これにより、本発明は、大風量での空気処理が可能となるため、短期間で室内空間全体の汚染物質を捕集し、空気環境を分析できるという効果を奏する。さらに、捕集分析部材に付与されたコードに格納された識別情報と、それら捕集分析部材が搭載されていた空気清浄装置の運転環境及び運転履歴などの情報を通信ネットワーク上で管理することができるため、簡便且つ詳細に室内環境を診断することができ、更にそれらの情報を正確に管理することができるという効果を奏する。
【図面の簡単な説明】
【００１２】
【図１】本発明の第１の実施の形態における空気清浄装置の本体構成を示す概略斜視図
【図２】本発明の第１の実施の形態における空気清浄装置の本体構成を示す概略断面図
【図３】本発明の第１の実施の形態における空気清浄装置の捕集分析部材の斜視図
【図４】本発明の第１の実施の形態における空気清浄装置の捕集分析部材の斜視図
【図５】本発明の第１の実施の形態における空気清浄装置の外部通信端末装置の制御ブロック図
【図６】本発明の第１の実施の形態における空気清浄装置及び外部通信端末装置の制御ブロック図
【図７】本発明の第１の実施の形態における空気清浄装置の外部通信端末装置を示す正面図
【図８】本発明の第１の実施の形態における空気清浄装置の外部通信端末装置の読み取り部稼動時を示す正面図
【図９】本発明の第１の実施の形態における空気清浄装置の外部通信端末装置を示す正面図
【図１０】本発明の第１の実施の形態における空気清浄装置の外部通信端末装置を示す正面図
【図１１】本発明の第１の実施の形態における空気清浄装置の捕集分析部材の識別コード情報を空気清浄装置に伝達するまでの動作フローチャート
【図１２】本発明の第１の実施の形態における空気清浄装置の運転から、捕集分析部材取り出し準備完了までの動作フローチャート
【図１３】本発明の第１の実施の形態における空気清浄装置の通信端末装置を示す正面図
【図１４】本発明の第１の実施の形態における空気清浄装置の通信端末装置の読み取り部稼動時を示す正面図
【図１５】本発明の第１の実施の形態における空気清浄装置の通信端末装置を示す正面図
【図１６】本発明の第１の実施の形態における空気清浄装置の通信端末装置を示す正面図
【図１７】本発明の第１の実施の形態における空気清浄装置の通信端末装置を示す正面図
【図１８】本発明の第１の実施の形態における空気清浄装置における分析依頼開始操作から捕集分析部材引渡しまでの動作フローチャート
【図１９】本発明の第２の実施の形態における情報提供装置すなわち空気清浄装置に係わるホストコンピュ−タ側の構成を示すブロック図
【図２０】本発明の第２の実施の形態における情報提供装置すなわち空気清浄装置に係わるホストコンピュ−タ側の判定テーブルを示す図
【図２１】本発明の第２の実施の形態における情報提供装置すなわち空気清浄装置に係わるホストコンピュータ側のメッセージテーブルを示す図
【図２２】本発明の第２の実施の形態における空気清浄装置の制御部の動作フローチャート
【図２３】本発明の第２の実施の形態における空気清浄装置の分析結果通知および情報提供時の処理手順を示すフローチャート
【図２４Ａ】本発明の第２の実施の形態における空気清浄装置の通信端末装置への表示状態を示す正面図
【図２４Ｂ】本発明の第２の実施の形態における空気清浄装置の通信端末装置への表示状態を示す正面図
【図２５Ａ】本発明の第２の実施の形態における空気清浄装置の通信端末装置への分析・提供情報の表示例を示す正面図
【図２５Ｂ】本発明の第２の実施の形態における空気清浄装置の通信端末装置への分析・提供情報の表示例を示す正面図
【図２６】本発明の第２の実施の形態における空気清浄装置の通信端末装置への分析・提供情報の別の表示例を示す図
【図２７】本発明の第３の実施の形態における情報提供装置すなわち空気清浄装置に係わるホストコンピュ−タ側の構成を示すブロック図
【図２８】本発明の第３の実施の形態における空気清浄装置の制御部の動作フローチャート
【図２９】本発明の第３の実施の形態における情報提供装置すなわち空気清浄装置に係わるホストコンピュータ側のメッセージテーブルを示す図
【図３０Ａ】本発明の第３の実施の形態における情報提供装置すなわち空気清浄装置に係わるホストコンピュータ側のタイプ別分析テーブルの表示例を示す図
【図３０Ｂ】本発明の第３の実施の形態における情報提供装置すなわち空気清浄装置に係わるホストコンピュータ側のタイプ別分析テーブルの表示例を示す図
【発明を実施するための形態】
【００１３】
以下、本発明の実施の形態について図面を参照しながら説明する。実施の形態として本発明の捕集分析部材を空気清浄装置に備えたものを例として示すが、本例に限定されるものではない。
【００１４】
（実施の形態１）
本発明の一態様について添付図面を用いて説明する。
【００１５】
まず初めに、空気清浄装置２０内部に具備された空気清浄部３及び捕集分析部材４の形態及び配置構成について説明する。
【００１６】
図１、図２に示すように、空気清浄装置２０は、本体ケース１内に送風ファン２と空気清浄部３と捕集分析部材４とを備えている。
【００１７】
本体ケース１は、略縦長箱形状である。この本体ケース１の前面側側面部には、略四角形状の吸込み口５を設けている。本体ケース１の天面部には、略四角形状の吹出し口７とこの吹出し口７に設けた風向ルーバー８を備えている。
【００１８】
図２に示すように本体ケース１の内部には、吸込み口５から吹出し口７に至る空気流路６を形成している。
【００１９】
送風ファン２は、本体ケース１の空気流路６に設けられ、遠心送風ファンである羽根９と、この羽根９を回転させる電動機１０とから構成されている。
【００２０】
なお、送風ファン２の例として、シロッコファンやターボファン、プロペラファンやクロスフローファンを電動機１０によって回転駆動するものが上げられる。シロッコファンであれば低回転数でも高い静圧がとれ、ターボファンであれば他よりファン効率がよく、プロペラファンであれば低回転数でも大きい風量がとれ、クロスフローファンであれば吹出気流が幅広にできるので、場合に応じて最適な方法を選択すればよい。電動機１０は、直流または交流電流によって駆動するものである。
【００２１】
空気清浄部３は、本体ケース１内の吸込み口５の背面側に備えており、吸込み口５側からプレフィルタ１１、集塵フィルタ１２、脱臭フィルタ１３の順に配置している。
【００２２】
つまり、送風ファン２は、吸込み口５から室内の空気を本体ケース１内に吸気して、空気清浄部３を通過させて吹出し口７から室内へと送風するものである。すなわち、空気清浄装置２０は、室内の汚染空気を空気清浄部３で清浄して、室内へ送風するものである。
【００２３】
なお、空気清浄部３の例として、樹脂繊維を格子状に編んで形成される略平板形状のプレフィルタ１１と、濾材を蛇腹状に折り曲げて形成される略直方体形状の集塵フィルタ１２と、活性炭等の吸着剤を樹脂性の網に添着させた脱臭フィルタ１３によって構成するものがあげられる。このような構成とすると、本体ケース１内に取り込まれた空気から塵埃を除去するとともに、花粉・細菌等の小さな粒子とタバコ臭等のにおいを除去し、空気を清浄化することができる。
【００２４】
捕集分析部材４は、空気流路６の空気清浄部３下方であって、この空気清浄部３に並列に設けられている。捕集分析部材４もまた空気清浄部３と同様、送風ファン２による空気を通過させて、室内汚染物質を捕集するものである。
【００２５】
また、捕集分析部材４は本体ケース１に着脱自在に設けられている。つまり、捕集した汚染物質を分析する際には、捕集分析部材４を本体ケース１から取り外し、捕集された汚染物質を定性、定量分析を行なうことができるものである。
【００２６】
このような構成により、空気清浄装置を稼動し、室内空気を清浄化する際に、捕集分析部材４が室内汚染物質を捕集できるので、分析のためだけに微粒子捕集装置を用意して稼動することなく、また、大風量での空気処理が可能となるので、短期間で簡便に室内空間全体の汚染物質が捕集できる。
【００２７】
捕集分析部材４の構成について、図３及び図４を参照しながら説明する。
【００２８】
図３、図４に示すように捕集分析部材４は、空気が流入する吸込み口５側から粗大粒子捕集部１４、中間に微粒子捕集部１５、吹出し口７側にガス捕集部１６を配置して構成しており、その外周には枠形状の形状保持部１７が設けられている。
【００２９】
この様な構成にすることにより、粗大粒子を上流の粗大粒子捕集部１４で、微粒子を中間の微粒子捕集部１５で、ガスを下流のガス捕集部１６でと、汚染物質を選択的に捕集できる。その結果として、分析時における汚染物質の抽出が容易になるので室内空気汚染物質の正確な定性・定量分析ができる。
【００３０】
粗大粒子捕集部１４と微粒子捕集部１５とガス捕集部１６の形状と構成は図３に示すように、それぞれが独立していてもよい。また、図４に示すように、３つの捕集部が空気の通過方向に積層されていてもよい。
【００３１】
独立している場合は、各捕集部を分離しやすいので、分析時の取扱い性を向上できる。また、積層されている場合は、各捕集部の利用面積を大きくできるので、単位面積当りの風速を低減でき、その結果、捕集分析部材４を低圧力損失かつ高捕集効率にできる。これらにより、短期間で微細な汚染物質まで捕集できるようになるので、詳細な空気環境を短期間で分析できる。
【００３２】
また、１つの独立した捕集部と２つの捕集部の積層という構成にしてもよく、用途に応じて粗大粒子捕集部１４と微粒子捕集部１５とガス捕集部１６の形状と構成は選択すればよい。
【００３３】
また、捕集分析部材４は、圧力損失を空気清浄部３と同じもしくは低くしたものであり、より好ましくは低くしたものが良い。
【００３４】
捕集分析部材４の圧力損失を低くする方法として、例えば、捕集分析部材４が不織布で構成されている場合は、不織布を構成している繊維の繊維径を細くする方法がある。繊維径を細くすることで、空気流の乱れによる抵抗を減少できるので、同等の捕集効率でも圧力損失を低くできる。この例に限らず、捕集分析部材４の圧力損失を低くする方法は、捕集分析部材４を構成する材料に応じて、適宜選択すればよい。
【００３５】
このように、捕集分析部材４の圧力損失が空気清浄部３よりも低いと、捕集分析部材４を通過する風量が大きくなるため、短期間で室内空間全体の汚染物質を捕集し、空気環境を分析できる。その結果として、早期の空気環境分析が期待できる。
【００３６】
また、捕集分析部材４の捕集効率を空気清浄部３と同じもしくは高くしたものであり、より好ましくは高くしたものが良い。
【００３７】
捕集分析部材４の捕集効率を高くする方法として、例えば、捕集分析部材４が不織布で構成されている場合は、不織布にエレクトレット処理を施す方法がある。エレクトレット処理を施すことで、不織布の繊維が帯電するため、物理的捕集に加え、静電気力でも汚染物資を捕集するようになるので、同等の圧力損失でも捕集効率を高くできる。この例に限らず、捕集分析部材４の捕集効率を高くする方法は、捕集分析部材４を構成する材料に応じて、適宜選択すればよい。
【００３８】
このように、捕集分析部材４の捕集効率が空気清浄部３よりも高いと、微細な汚染物質が捕集できる。その結果として、詳細に空気環境の分析が期待できる。
【００３９】
捕集分析部材４を構成する材質は、アレルゲン、菌等の非変性物質であれば、特に限定されない。具体例として、粗大粒子捕集部１４と微粒子捕集部１５には、ポリアクリロニトリル、ポリエチレン、ポリプロピレン、ポリエチレングリコール、ポリエチレンテレフタレート、ポリエチレンナフタレート、ポリオレフィン、ポリメタクリル酸、ポリメタクリル酸メチル、ポリフッ化ビニリデン、ポリエーテルサルホン、ポリ塩化ビニル、ポリテトラフルオロエチレン、ポリビニルアルコール、ポリアリレート、ポリアセタール、ポリカーボネート、ポリスチレン、ポリアミド、ポリイミド、ポリアミドイミド、アラミド、ポリ乳酸、ポリウレタン、セルロース化合物等の樹脂材料やガラスなどの無機物質が、ガス捕集部１６には、活性炭やゼオライト等が挙げられる。
【００４０】
このように、捕集分析部材がアレルゲン、菌の非変性物質で構成されていると、捕集されたアレルゲン、菌は変性することなく、捕集分析部材で保持される。その結果として、従来の分析方法で適切な評価ができ、さらに、分析を阻害する物質を含まないため、室内空気汚染物質の正確な定性・定量分析が期待できる。
【００４１】
また、捕集した汚染物質の分析方法としては液体クロマトグラフ分析法、ガスクロマトグラフ分析法、質量分析法、ＥＬＩＳＡ法、標準寒天培地法、走査型電子顕微鏡法等が挙げられ、粒子、アレルゲン、菌、ガス等に対し適した手法を選択することで、捕集した室内汚染物質を定性、定量的に分析することができる。
【００４２】
さらに、図３、図４に示すように、捕集分析部材４には識別コード２１が付与されている。識別コード２１は捕集分析部材４の品番、ロット番号、製造日など個体を識別するための情報や、製造メーカーのＵＲＬや、分析依頼先の依頼フォームのＵＲＬなどの情報を含んでおり、例えば一次元バーコードや、二次元ＱＲコード（登録商標）などが挙げられる。この識別コード２１を外部の外部通信端末装置２２で読み取ることで、これらの情報を利用し、捕集分析部材４の分析に役立てることができる。
【００４３】
以下にその分析までの流れについて説明する。
【００４４】
まず、外部通信端末装置２２の制御部分について説明する。図５に示すように外部通信端末装置２２を制御する制御部２３には通信部２４、近距離通信部１８、読み取り部２５、メモリ２６、入力部２７、表示部２８、スピーカー２９、マイク３０が接続されている。
【００４５】
図５に示すように、外部通信端末装置２２の読み取り部２５で捕集分析部材４に付与された識別コード２１を読み取ることで、識別コード２１に含まれた情報を表示部２８に表示される。これら識別コード２１の情報に加えて、入力部２７で入力した使用者の情報や、外部通信端末装置２２に内蔵された時間情報なども含めた情報をメモリ２６に記憶させ、通信部２４によって通信ネットワークに接続して空気清浄装置メーカーや分析機関などに伝達することができる。尚、操作上の案内や通知などをスピーカー２９からの音声や音によって知らせることもでき、また、入力操作などをマイク３０によって音声入力操作することもできる。
【００４６】
次に空気清浄装置２０の制御部分について説明する。図６に示すように、空気清浄装置２０を制御する制御部３１には、送風ファン２、電源スイッチ３２、運転切替えスイッチ３３、送風ファン２の運転情報を記録する記録部３４、近距離通信部３５、メモリ３６、表示ランプ１９、スピーカー３７が接続されている。
【００４７】
空気清浄装置２０の近距離通信部３５と外部通信端末装置２２の近距離通信部１８は、いわゆる近距離通信器によって構成されており、例えば、電車の駅改札と同じように、これらの近距離通信部３５、１８を接近させれば、空気清浄装置２０と、外部通信端末装置２２の通信が行われるようになっている。具体的には、外部通信端末装置２２のメモリ２６に捕集分析部材４の情報及び日時情報を記憶させ、このメモリ２６に記憶させた情報を表示部２８に表示させた状態で、この外部通信端末装置２２の近距離通信部１８と空気清浄装置２０の近距離通信部３５間で通信を行わせる。これによって捕集分析部材４の個体情報や使用開始日時を空気清浄装置２０に記憶させ、例えば使用者が複数の空気清浄装置を所持しているような場合に、どの機体でどの捕集分析部材が使用されたかがわかるようになっている。
【００４８】
また、送風ファン２の運転履歴は制御部３１を介して記録部３４に記録されており、近距離通信部３５を介して、外部通信端末装置２２に情報として取り出し、捕集分析部材４の識別コード２１に格納された個体情報とともにメモリ２６に記憶させる。そして、これらの情報を紐付けした状態で、通信部２４から通信ネットワークを介して、空気清浄装置メーカーや分析機関などに伝達することができる。つまり、通信ネットワーク上で管理することが可能となる。
【００４９】
それでは、一連の流れについて、その一例を説明する。先ずは、捕集分析部材４の情報を空気清浄装置２０に受け渡し、空気清浄装置２０の運転を開始するまでの流れについて図７〜図１１を用いて説明する。外部通信端末装置２２を操作し、表示部２８に図７に示す表示を表出させる（図１１のステップＳ１）。
【００５０】
表示部２８には、この図７に示すように、室内の空気質を分析するために、捕集分析部材４の使用を開始する運転（以後「空気質フィードバック運転」と呼ぶ）を実施するかの確認画面が表示されている。この表示画面において、選択ボタン３９（図７では「はい」の表示）を選択すると、読み取り部２５が起動（図１１のステップＳ２）し、表示部２８には読み取り部２５で認識した映像が表示される（図１１のステップＳ３）。
【００５１】
この状態で図８に示すように、読み取り部２５を捕集分析部材４の識別コード２１に近づけると、表示部２８には図８に示すように識別コード２１の映像が表示される。この状態で読み取りボタン３８を選択すると、読み取り部２５によって識別コード２１が読み取られ（図１１のステップＳ４）、表示部２８には図９に示すように、識別コード２１の情報が表示される。この情報を外部通信端末装置２２のメモリ２６に記憶させる（図１１のステップＳ５）と、表示部２８の表示は図１０へと移行する。この状態で外部通信端末装置２２の近距離通信部１８を空気清浄装置２０の近距離通信部３５に近接させ、通信を行わせれば（図１１のステップＳ６）、捕集分析部材４の個体情報と使用開始日時が空気清浄装置２０に記憶され、運転開始の準備が完了する（図１１のステップＳ７）。
【００５２】
次に空気清浄装置２０の運転開始から、捕集分析部材４の取り出し準備が完了するまでの流れについて図１２を用いて説明する。
【００５３】
空気清浄装置２０の電源スイッチ３２を入れる（図１２のステップＳ８）と、送風ファン２が回転をし始めて吸込み口５から空気を取り込む（図１２のステップＳ９）。取り込まれた空気中に含まれる汚染物質は空気清浄部３によって捕集される。このとき、空気の一部は捕集分析部材４にも流れるため、面積比率としては空気清浄部３に流れる汚染物質と同等の汚染物質が捕集分析部材４によって捕集される。送風ファン２の運転情報は随時あるいは定期的に記録部３４に送られて記録される（図１２のステップＳ１０）。ここで運転情報とは、例えば送風ファン２の回転数データが挙げられる。空気清浄装置２０は運転切替えスイッチ３３の切替えによる運転モード（例えば、強運転や弱運転）によって送風ファン２の回転数が増減するため、回転数を記録することによって、送風ファン２の運転履歴を把握することが可能である。あるいは、運転モードによって、送風ファン２の定格電圧値は決まっているため、運転モードの履歴を記録し、係数を乗ずることで、消費電力履歴を把握することができ、それらからおおよその運転履歴を導出することも可能である。
【００５４】
以上の回転数データあるいは消費電力データなどから、空気清浄部３を通過したおおよその空気の体積量を算出し、その値が設定したある規定値を超えたときに、表示ランプ１９が点灯する（図１２のステップＳ１４）。これによって、捕集分析部材４の分析準備が完了したことを示す（図１２のステップＳ１５）。尚、表示ランプ１９が点灯した後も空気清浄装置２０が運転し続ければ、その間の送風ファン２の運転情報は記録部３４に記録される。
【００５５】
次に捕集分析部材４及び空気清浄装置２０のデータを回収し、捕集分析部材４を分析機関に引き渡すまでの流れを図１３〜図１８を用いて説明する。
【００５６】
外部通信端末装置２２の表示部２８に表示されている入力部２７を操作し、表示部２８に図１３に示す表示を表出させる（図１８のステップＳ１６）。
【００５７】
表示部２８には、この図１３に示すように、室内の汚染物質を捕集した捕集分析部材４の分析依頼手続を開始するかの確認画面が表示されている。この表示画面において、選択ボタン３９（図１３では「はい」の表示）を選択すると、読み取り部２５が起動（図１８のステップＳ１７）し、表示部２８には読み取り部２５で認識した映像が表示される（図１８のステップＳ１８）。
【００５８】
この状態で読み取り部２５を捕集分析部材４の識別コード２１に近づけると、表示部２８には図１４に示すように識別コードが表示され、この状態で読み取りボタン３８を選択すると、読み取り部２５によって識別コード２１が読み取られる（図１８のステップＳ１９）。このとき、読み取った識別コード２１が、図１１のＳ４で読み取った識別コードと同一であるかの判別が為される（図１８のステップＳ２０）。もし識別コードが一致しなければ、図１６に示すように表示部２８にはエラーが表示され、捕集分析部材４の識別情報と実際とは異なった運転情報に紐付かないようになっている。これにより、例えば使用者が複数の空気清浄装置を所持しているような場合に、どの機体でどの捕集分析部材が使用されたかがわかるようになっている。識別コード２１の一致が確認されれば、表示部２８には図１５に示すように、識別コード２１の情報が表示される。この内容を確認すると、表示部２８の表示は図１７へと移行する。この状態で外部通信端末装置２２の近距離通信部１８を空気清浄装置２０の近距離通信部３５に近接させ、通信を行わせれば、空気清浄装置２０の記録部３４に記録された運転情報が外部通信端末装置２２に伝達される（図１８のステップＳ２１）。その後、外部通信端末装置２２の表示部２８に表示されている入力部２７を操作し、分析依頼の手続きを完了（図１８のステップＳ２２）し、空気清浄装置２０から捕集分析部材４を取り出し、分析機関へ引き渡す（図１８のステップＳ２３）。
【００５９】
尚、ここでは外部の外部通信端末装置２２を介して情報の伝達を行っているが、例えば、空気清浄装置２０本体に通信機能及び読み取り部を備えることで、外部通信端末装置２２を介さずとも、捕集分析部材４の個体情報と空気清浄装置２０の運転情報を一元化して通信ネットワークによって情報伝達できるようにしてもよい。
【００６０】
以上のように、本発明の一態様では、捕集分析部材４を空気流路６の空気清浄部３の外周部に接するように並列した位置に設けることにより、捕集分析部材４のために空気流路６を追加で設ける必要が無く、空気流路６による抵抗を低減できる。そのため、送風ファン２により送風される風量を損失せずに、大風量での空気処理が可能となり、短期間で簡便に室内空間全体の汚染物質が捕集できるようになる。これにより、室内空間全体の汚染物質の成分、濃度を容易に把握出来るので、早期に室内空気質の改善に対する効果的な対策を講じることできる。
【００６１】
また、捕集分析部材４がアレルゲン、菌の非変性物質で構成されているため、捕集分析部材４で捕集されたアレルゲン、菌が変性しないので、従来の分析方法で適切な評価ができ、さらに、分析を阻害する物質を含まないので、精度の高い分析ができる。これにより、室内空気汚染物質の正確な定性・定量分析が可能となるので、特定物質に特化したフィルタの使用等、汚染物質に対する効果的な対策を講じることができる。
【００６２】
また、捕集分析部材４に付与された識別コード２１に格納された識別情報と、それら捕集分析部材４が搭載されていた空気清浄装置２０の運転環境及び運転履歴などの情報が、紐付けされたデータとして通信ネットワーク上で管理することができる。これにより、分析機関は、依頼者から渡された捕集分析部材４の識別コード２１を読み取ることで、その識別コード２１に紐付けされ、通信ネットワークによって伝達された空気清浄装置２０の運転情報を即座に且つ正確に入手することができる。そして、それら情報と捕集分析部材４の分析結果を元に簡便且つ詳細に室内環境を診断することができる。すなわち、室内空間全体の汚染物質の成分、濃度を容易に把握出来るので、空気質の改善に対する効果的な対策を講じることのできる、空気清浄装置を提供することができる。
【００６３】
（実施の形態２）
本実施の形態では、捕集分析部材４に付与された識別コード２１に格納された識別情報と、それら捕集分析部材４が搭載されていた空気清浄装置２０の運転環境及び運転履歴などの情報とを紐付けされたデータとして通信ネットワーク上で管理し、使用者に有用な情報を提供する技術について説明する。
【００６４】
外部通信端末装置２２は、図１９に示す空気清浄装置の製造会社のホストコンピュータ４０に接続可能なものである。
【００６５】
ホストコンピュータ４０は、通信部４１と、入力部４２と、表示部４３と、記憶装置であるメモリ４４と、これらの情報から演算を行なう制御部４５を備える。
【００６６】
通信部４１は、顧客の携帯電話を代表とする外部通信端末装置２２、または捕集分析部材４の分析データを扱う分析データサーバ４６と通信を行なう。入力部４２は、ホストコンピュータ４０を操作するための指令を入力するものである。また、表示部４３は、ホストコンピュータ４０の入出力状態を表示確認するものである。
【００６７】
また、メモリ４４は、送信メモリ４７と、メッセージテーブル４８と、判定テーブル４９と、分析データ格納メモリ５０と、顧客情報格納メモリ５１を備えている。送信メモリ４７は、通信部４１から外部通信端末装置２２へ送信するデータを格納する。
【００６８】
顧客情報格納メモリ５１は、外部通信端末装置２２から送られた顧客情報の運転時間、風量、捕集分析部材４の識別コード２１を格納する。
【００６９】
分析データ格納メモリ５０は、捕集分析部材４を分析したときの各種濃度データを分析データサーバ４６から入手して格納する。各種データとは、例えば、「分析項目」としてＡ「ほこり・チリ」、Ｂ「花粉」、Ｃ「ＰＭ２．５」、Ｄ「ディーゼル粉塵」、Ｅ「ダニ死がい」、Ｆ「ダニフン」、Ｇ「獣毛」、Ｈ「カビ」、Ｉ「調理」といった汚れについての濃度データである。
【００７０】
判定テーブル４９は、制御部４５が「分析結果」と基準値を照合して、「判定結果」を引き出すものである。「分析結果」は、前述の濃度値を外部通信端末装置２２から送られた顧客情報の運転時間と風量によって規格化する。規格化したものとは、運転時間と風量からフィルタを通過した空気の流量が解るので、濃度を単位流量あたりの濃度に換算している。図２０に示すように、「分析項目」ごとに「分析結果」を基準値と比較し、いずれかの基準値とする。例えば、基準値の「普通」の欄に記載したＡ２、Ｂ２、・・・Ｈ２、Ｉ２は、空気清浄装置に当初から搭載しているフィルタの能力から得られる濃度値である。「分析結果」の濃度値が基準値の濃度値を超えている場合には、現行のフィルタでは能力が不足していることを示す。すなわち、高性能フィルタへの変更を推奨する根拠を示す。また、「低い」の欄に記載したＡ３、Ｂ３・・・Ｈ３、Ｉ３は、当初から搭載しているフィルタの能力では過剰である場合の濃度値であり、この濃度を下回っている場合には、フィルタの能力を下げても良いことを示唆できる。
【００７１】
メッセージテーブル４８は、制御部４５が図２１に示すように通信部４１から外部通信端末装置２２へ送信するメッセージを「判定結果」に基づいて引き出せるようにしている。判定結果の内容と判定濃度に対応した判定点とメッセージを対応づける。
【００７２】
制御部４５は、通信部４１を介して得た捕集分析部材４に付与された識別コード２１に格納された識別情報と、それら捕集分析部材４が搭載されていた空気清浄装置２０の運転環境及び運転履歴などの情報と、捕集分析部材４に付着していた汚れの分析データの情報と、判定テーブル４９とメッセージテーブル４８とから顧客に役立つ情報を算出する。
【００７３】
上記の構成において、第１の実施の形態で説明したように、顧客は自宅で使用した空気清浄装置２０から捕集分析部材４を取り出し分析機関に送付することができる。また、併行して外部通信端末装置２２を使って、捕集分析部材４に付与された識別コード２１に格納した識別情報と、それら捕集分析部材４が搭載されていた空気清浄装置２０の運転環境及び運転履歴などの情報をホストコンピュータ４０へ送付することができる。
【００７４】
一方、ホストコンピュータ４０は、分析機関の分析データサーバ４６から捕集分析部材４の分析結果として、例えば「ほこり・チリ」、「花粉」、「ＰＭ２．５」、「ディーゼル粉塵」、「ダニ死がい」、「ダニフン」、「獣毛」、「カビ」、「調理」といった分析項目に対する汚れの濃度データ受け取ることになる。このデータは、制御部４５によって分析データ格納メモリ５０に格納される。
【００７５】
そして、図２２のフローチャートに示すように、メモリ４４を構成する分析データ格納メモリ５０から分析データとして読み出される（ステップＳ２４、Ｓ２５）。
【００７６】
次に、分析データは、顧客情報格納メモリ５１の顧客情報の運転時間と風量によって規格化が行なわれ（ステップＳ２６）、「分析結果」として判定テーブル４９内へ表示される。そして「分析項目」ごとに判定処理が行なわれることとなる。例えば、「分析項目」Ａ「ほこり・チリ」について説明をすると、図２２のフローチャートに示すように、「分析結果」ＸＡは、「普通」と「低い」の基準値である濃度値Ａ２、Ａ３と比較され（ステップＳ２７、Ｓ２８）、結果のＹＡは、図２１のように、「判定結果」欄で、Ａ１、Ａ２、Ａ３のどれかに分類される（ステップＳ２９、Ｓ３０、Ｓ３１）。その他の「分析項目」についても同様にして、結果のＹＢ、ＹＣ・・・ＹＨ、ＹＩは、それぞれ３つの濃度値のうちのどれかに分類される（ステップＳ３２〜Ｓ３６）。
【００７７】
そして、「判定結果」として「判定点」の大きい順番に図２１のメッセージテーブル４８上で並べられ（ステップＳ３７）、「判定結果」に対応付けられたメッセージが上位より読み出されることとなる。図２３のフローチャートに示すように、メッセージは、メッセージテーブル４８から読み出され、メモリ４４を構成する送信メモリ４７に送られ（ステップＳ４３、Ｓ４４）、制御部４５によって通信部４１から外部通信端末装置２２へ図２４Ａに示すような通知画面が表示されることとなる（ステップＳ５１）。続けて、顧客が画面を開くと、図２４Ｂに示すように表示がされて（ステップＳ５２）、室内の空気汚れは、ほこり・チリと獣毛が多いことが確認でき、高性能フィルタとプリネットを使用することで、より効果的に空気清浄装置を使うことができる、という新たな情報を得ることとなる。
【００７８】
さらに、図２４Ｂの情報を得た顧客は、続けて次の画面を開くと、図２５Ａに示すように、具体的な商品情報を得ることができ、図２５Ｂに示す購入画面上で購買情報を入力すると（ステップＳ５３）、高性能フィルタとプリネットを購入することができる（ステップＳ５４、Ｓ５５、Ｓ４５、Ｓ４６）。これによって部屋の汚れにあった空気清浄をすることができる。また、高性能フィルタとプリネットを提供する販売会社側は、新たなビジネスを創出することができる。
【００７９】
以上の「判定結果」は、例えば図２６に示すように、全項目についてグラフ化して、ひと目でわかるようにすることもできる。顧客の外部通信端末装置２２だけでなく、顧客のパーソナルコンピュータ（図示せず）へ表示しても良い。
【００８０】
（実施の形態３）
本実施の形態では、第２の実施の形態のメッセージテーブル４８上で並べられた「判定点」に基づいて、よりわかりやすくする表示の仕方について説明をする。
【００８１】
図２７に示すように、第２の実施の形態の制御部４５には判定点プロット部５２を、メモリ４４にはタイプ別判定テーブル５３を備えたものである。
【００８２】
図２８のフローに示すように、判定点プロット部５２は、本実施の形態のメッセージテーブル５４の「判定点」をタイプ別判定テーブル５３へプロットする。
【００８３】
例えば、図２９に示すように、メッセージテーブル４８の内容に加えて、メッセージテーブル５４では、各分析項目を粒子性のものかガス性のものかを分類し、また、室外で発生するものか室内で発生するものかを分類しておく。また、タイプ別判定テーブル５３は、第一のタイプとして汚れの種類について粒子性の汚染とガス性の汚染、また第二のタイプとして汚染物質が室内で発生するものか室外の空気から室内に取り込まれるものかをテーブル上で分類するものである。そして、判定点プロット部５２は、分類ごとに「判定点」の加算を行い、タイプ別判定テーブル５３へプロットするものである。
【００８４】
具体的には、図３０Ａは、汚れの種類を把握するために、第一のタイプとして、粒子性の汚染とガス性の汚染に着目してテーブル上に判定結果を判定点でプロットしたものである。また、図３０Ｂは、汚れの発生場所を把握するために、第二のタイプとして、汚染物質の発生源（汚染物質から室内で発生するものか室外の空気から室内に取り込まれるものか）に着眼してテーブル上に判定結果を「判定点」でプロットしたものである。
【００８５】
これにより、予め、粒子性の汚染に対して、高性能フィルタ、花粉吸着フィルタ、防カビ材Ｂを添着したフィルタ用意しておけば、「判定点」の高い項目が粒子性の汚染に分類されるものであれば、粒子性の汚染に対応するフィルタを推奨することができる。また、ガス性の汚染に対して、カーボン吸着フィルタを用意しておけば、ガス性の汚染に対応するカーボン吸着フィルタを推奨することができる。提示を受けた顧客も外部通信端末装置２２の画面で視覚的に確認し、新たにフィルタを購入して室内の空気浄化をより積極的に行なうことが可能となる。
【００８６】
また、分析項目の汚れが室外の空気から室内に取り込まれる可能性が高いものである場合には、昼間の換気は控えるよう、アドバイスを発信することができる。
【００８７】
以上のように、汚れの種類に適したフィルタの選別が可能になるので、顧客の室内環境に適したフィルタを提示することが可能となる。また、室外空気から取り込んでいることがわかれば、窓を開ける頻度を減らすことを推奨するようなアドバイスをホストコンピュータ４０から顧客の外部通信端末装置２２へ発信することも可能となる。
【００８８】
このようにして、顧客の使用環境にあわせたメッセージを提供することができ、空気清浄装置を使って室内の空気をより効果的に浄化することができる。
【００８９】
以上説明したように、空気清浄装置は、捕集分析部材には少なくともその捕集分析部材の識別情報が格納されたコードが付与されており、外部通信端末装置が記録部の運転情報を取り出し、識別情報を読み込むことで、外部通信端末装置を介して送風ファンの運転情報と、捕集分析部材の識別情報が紐付けられていてもよい。
【００９０】
これにより、捕集分析部材に付与されたコードに格納された識別情報と、それら捕集分析部材が搭載されていた空気清浄装置の運転環境及び運転履歴などの情報が、紐付けされたデータとして外部通信端末装置を介して通信ネットワーク上で管理することができる。そのため、簡便且つ詳細に室内環境を診断することができ、更にそれらの情報を正確に管理することができるという効果を奏する。
【００９１】
また、情報提供装置は、外部通信端末装置が該空気清浄装置販売会社のホストコンピュータへアクセスして、顧客情報として空気清浄装置の識別情報と送風ファンの運転情報を送付することで、空気清浄装置の使用に係わる新たなメッセージ受け取ってもよい。
【００９２】
これにより、新たな情報を得ることとなり、顧客はより効果的に空気清浄装置を使うことができる。
【００９３】
また、情報提供装置は、ホストコンピュータが顧客情報を通信部で受け取り、顧客情報格納メモリへ格納し、分析サーバから取得した捕集分析部の濃度データを分析データ格納メモリに格納し、顧客情報と濃度データとから空気清浄装置の使用に係わる新たなメッセージを創出してもよい。
【００９４】
これにより、新たな情報を得ることとなり、顧客はより効果的に空気清浄装置を使うことができる。
【００９５】
また、空気清浄装置は、捕集分析部材がアレルゲン、菌の非変性物質で構成してもよい。
【００９６】
これにより、捕集分析部材で捕集されたアレルゲン、菌は変性しないので、従来の分析方法で適切な評価ができ、さらに、分析を阻害する物質を含まないので、精度の高い分析ができるという作用を奏する。
【００９７】
また、空気清浄装置は、捕集分析部材が、少なくとも３つの捕集分析部材で構成され、吸込み口側に粗大粒子を捕集する粗大粒子捕集分析部材、中間に微粒子状汚染物質を捕集する微粒子捕集分析部材、吹出し口側にガス状汚染物質を捕集するガス捕集分析部材を備えてもよい。
【００９８】
これにより、分級効果を得ることが出来るので、各捕集部で選択的に捕集できるという効果を奏する。その結果として、捕集された汚染物質の分析が容易になり、室内空気汚染物質の正確な定性・定量分析が期待できる。
【産業上の利用可能性】
【００９９】
本発明の空気清浄装置は、短期間で簡便に室内空間の環境状態を正確に分析できるため、家庭用または業務用の空気清浄装置における汚染物質の捕集・分析装置として有用である。
【符号の説明】
【０１００】
１    本体ケース
２    送風ファン
３    空気清浄部
４    捕集分析部材
５    吸込み口
６    空気流路
７    吹出し口
８    風向ルーバー
９    羽根
１０    電動機
１１    プレフィルタ
１２    集塵フィルタ
１３    脱臭フィルタ
１４    粗大粒子捕集部
１５    微粒子捕集部
１６    ガス捕集部
１７    形状保持部
１８    近距離通信部
１９    表示ランプ
２０    空気清浄装置
２１    識別コード
２２    外部通信端末装置
２３    制御部
２４    通信部
２５    読み取り部
２６    メモリ
２７    入力部
２８    表示部
２９    スピーカー
３０    マイク
３１    制御部
３２    電源スイッチ
３３    運転切替えスイッチ
３４    記録部
３５    近距離通信部
３６    メモリ
３７    スピーカー
３８    読み取りボタン
３９    選択ボタン
４０    ホストコンピュータ
４１    通信部
４２    入力部
４３    表示部
４４    メモリ
４５    制御部
４６    分析データサーバ
４７    送信メモリ
４８    メッセージテーブル
４９    判定テーブル
５０    分析データ格納メモリ
５１    顧客情報格納メモリ
５２    判定点プロット部
５３    タイプ別判定テーブル
５４    メッセージテーブル
【図１】
2018146228.tif 000003
【図２】
2018146228.tif 000004
【図３】
2018146228.tif 000005
【図４】
2018146228.tif 000006
【図５】
2018146228.tif 000007
【図６】
2018146228.tif 000008
【図７】
2018146228.tif 000009
【図８】
2018146228.tif 000010
【図９】
2018146228.tif 000011
【図１０】
2018146228.tif 000012
【図１１】
2018146228.tif 000013
【図１２】
2018146228.tif 000014
【図１３】
2018146228.tif 000015
【図１４】
2018146228.tif 000016
【図１５】
2018146228.tif 000017
【図１６】
2018146228.tif 000018
【図１７】
2018146228.tif 000019
【図１８】
2018146228.tif 000020
【図１９】
2018146228.tif 000021
【図２０】
2018146228.tif 000022
【図２１】
2018146228.tif 000023
【図２２】
2018146228.tif 000024
【図２３】
2018146228.tif 000025
【図２４Ａ】
2018146228.tif 000026
【図２４Ｂ】
2018146228.tif 000027
【図２５Ａ】
2018146228.tif 000028
【図２５Ｂ】
2018146228.tif 000029
【図２６】
2018146228.tif 000030
【図２７】
2018146228.tif 000031
【図２８】
2018146228.tif 000032
【図２９】
2018146228.tif 000033
【図３０Ａ】
2018146228.tif 000034
【図３０Ｂ】
2018146228.tif 000035
【手続補正書】
【提出日】平成30年4月13日(2018.4.13)
【手続補正１】
【補正対象書類名】特許請求の範囲
【補正対象項目名】全文
【補正方法】変更
【補正の内容】
【特許請求の範囲】
【請求項１】
ホストコンピュータが空気清浄装置の使用に係わる新たなメッセージを提供する情報提供装置であって、
前記ホストコンピュータが、判定テーブルとメッセージテーブルを備え、捕集分析部材を有した空気清浄装置から取得した該捕集分析部材に付与された識別情報と送風ファンの運転情報を顧客情報として通信部で受け取り、顧客情報格納メモリへ格納し、分析サーバから取得した前記捕集分析部の濃度データを分析データ格納メモリに格納し、前記送風ファンの運転情報から得られる運転時間と風量から濃度を単位流量あたりに換算した分析結果を得るものであって、
前記判定テーブルにおいて分析項目ごとに前記分析結果と該分析項目ごとの基準値とを比較して判定結果を引き出し、
前記メッセージテーブルにおいて判定結果から前記空気清浄装置の使用に係る新たなメッセージを引き出すことができる情報提供装置。
【請求項２】
前記ホストコンピュータが、前記判定結果を判定点としてプロットする判定点プロット部と、汚れの種類として粒子性とガス性に分類する第一のタイプ、または汚れの発生場所として室内と室外に分類する第二のタイプを分類するタイプ別判定テーブルとを備え、
前記判定点プロット部が前記タイプ別判定テーブルへ前記判定点をプロットして視覚的な提示を可能とした情報提供装置。
【請求項３】
外部通信端末装置が、前記空気清浄装置から前記顧客情報を取得して、前記ホストコンピュータへアクセスして、前記顧客情報を送付することで、前記ホストコンピュータの前記通信部から、前記空気清浄装置の使用に係わる新たなメッセージ受け取り、表示部で表示することが可能となる請求項１または２記載の情報提供装置。
【手続補正３】
【補正対象書類名】明細書
【補正対象項目名】０００１
【補正方法】変更
【補正の内容】
【０００１】
本発明は、汚染物質の分析をするための捕集分析部材を備えた空気清浄装置の使用に係わり情報を提供する情報提供装置に関するものである。
【手続補正４】
【補正対象書類名】明細書
【補正対象項目名】０００８
【補正方法】変更
【補正の内容】
【０００８】
本発明は、上記課題を鑑みなされたものであり、より効果的に空気清浄装置を使うことができるように室内空間全体の環境状態を簡便且つ正確に分析できる空気清浄装置をし、顧客が空気清浄装置の使用に係わる新たなメッセージ受け取ることができる情報提供装置を提供することを目的とするものである。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
そして、この目的を達成するために、本発明は、ホストコンピュータが空気清浄装置の使用に係わる新たなメッセージを提供する情報提供装置であって、前記ホストコンピュータが、判定テーブルとメッセージテーブルを備え、捕集分析部材を有した空気清浄装置から取得した該捕集分析部材に付与された識別情報と送風ファンの運転情報を顧客情報として通信部で受け取り、顧客情報格納メモリへ格納し、分析サーバから取得した前記捕集分析部の濃度データを分析データ格納メモリに格納し、前記送風ファンの運転情報から得られる運転時間と風量から濃度を単位流量あたりに換算した分析結果を得るものであって、前記判定テーブルにおいて分析項目ごとに前記分析結果と該分析項目ごとの基準値とを比較して判定結果を引き出し、前記メッセージテーブルにおいて判定結果から前記空気清浄装置の使用に係る新たなメッセージを引き出すことができる情報提供装置としてものであり、これにより所期の目的を達成するものである。
【手続補正７】
【補正対象書類名】明細書
【補正対象項目名】００１１
【補正方法】変更
【補正の内容】
【００１１】
本発明によれば、捕集分析部材に付与された識別情報と、それら捕集分析部材が搭載されていた空気清浄装置の送風ファンの運転情報を通信ネットワーク上で管理することができるため、簡便且つ詳細に室内環境を診断することができ、更にそれらの情報を正確に管理することができる。つまり、ホストコンピュータは捕集分析部材の分析から得た濃度データと送風ファンの運転情報から得られる運転時間と風量から分析結果を得るものであって、判定テーブルにおいて分析項目ごとに前記分析結果と該分析項目ごとの基準値とを比較して判定結果を引き出し、メッセージテーブルにおいて判定結果から前記空気清浄装置の使用に係る新たなメッセージを引き出すことができるという効果を奏する。
【手続補正８】
【補正対象書類名】明細書
【補正対象項目名】００４０
【補正方法】変更
【補正の内容】
【００４０】
このように、捕集分析部材４がアレルゲン、菌の非変性物質で構成されていると、捕集されたアレルゲン、菌は変性することなく、捕集分析部材で保持される。その結果として、従来の分析方法で適切な評価ができ、さらに、分析を阻害する物質を含まないため、室内空気汚染物質の正確な定性・定量分析が期待できる。